【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
まくら木の長手両側面に軌道方向へ向けて突出する複数の連結部材を設け、隣接するまくら木の連結部材同士を互いに突き合わせて当該突き合わせ部分の一部または全部を覆うように双方の連結部材に渡る一または二以上の接続部材を宛い、宛がった接続部材と双方の連結部材とを一体的に固定して連結することを特徴とするまくら木の連結構造。
【請求項２】
まくら木の長手両側面に複数の係合部材を取り付け、両端に係止部を備えた連結部材を隣接するまくら木同士の間に橋渡して、当該連結部材の係止部をまくら木に設けた係合部材に係合させて連結すると共に、係合を保持する係合保持部材を連結部材と係合部材との間に取り付けることを特徴とするまくら木の連結構造。
【請求項３】
まくら木の長手両端部に軌道方向へ延出する連結部材を設け、隣接するまくら木の連結部材同士を互いに突き合わせて、当該突き合わせ部分の一部または全部を覆うように双方の連結部材に渡る接続部材を宛がい、宛がった接続部材と双方の連結部材とを一体的に固定して連結することを特徴とするまくら木の連結構造。
【手続補正２】
【補正対象書類名】明細書
【補正対象項目名】０００９
【補正方法】変更
【補正の内容】
【０００９】
まくら木の長手両側面に軌道方向へ向けて突出する複数の連結部材を設けると共に、当該連結部材の長手端部にまくら木の長手方向または上下方向の少なくともいずれかの方向に対して係合する嵌合部を設け、隣接するまくら木の連結部材同士を互いに突き合わせて双方の嵌合部を嵌合させて連結するまくら木の連結構造とするのが好ましい。
【手続補正３】
【補正対象書類名】明細書
【補正対象項目名】００１０
【補正方法】変更
【補正の内容】
【００１０】
これによれば、隣接するまくら木の連結部材同士を突き合わせ、双方の嵌合部に接着剤を塗布して嵌合させるだけでまくら木が連結される。
また、双方の嵌合部を嵌合すると、まくら木の長手方向または上下方向の少なくともいずれかの方向に対して係合するので、嵌合部に加わる荷重に対する抗力が高い。また、嵌合部を設けることにより、連結部材同士を単に突き合わせて接合する場合に比べて接合面積を増加させることができ、接合強度が著しく増大する。
また、まくら木を必要な数だけ順次継ぎ足して連結することができるので、規定数のまくら木を一度に一体化する構成に比べて嵩張らず軽量で敷設が容易である。
【手続補正４】
【補正対象書類名】明細書
【補正対象項目名】００１１
【補正方法】変更
【補正の内容】
【００１１】
則ち、これによれば、簡単な構造により容易に連結して剛性の高い連結まくら木を構築することができ、「あおり現象」の発生を効果的に防止しつつ、敷設性、耐久性を向上すると共に省コスト化を図ることが可能となる。
【手続補正５】
【補正対象書類名】明細書
【補正対象項目名】００１２
【補正方法】変更
【補正の内容】
【００１２】
また、嵌合部は、まくら木の長手方向に対して係合する構成、または、まくら木の上下方向に対して係合する構成を採ることができる。また、まくら木の長手方向および上下方向の双方の方向に対して係合する構成を採ることもできる。
双方の方向に対して係合する構成とすることにより、嵌合部に加わる荷重に対する抗力を一層増大させることが可能となる。
【手続補正６】
【補正対象書類名】明細書
【補正対象項目名】００１３
【補正方法】変更
【補正の内容】
【００１３】
嵌合部の具体的な構造は、例えば、一方の連結部材の端部に凸条で成る嵌合部を設けると共に他方の連結部材に凹条で成る嵌合部を設けた構成とすることができる。これらの凸条および凹条をまくら木の長手方向に沿って配することにより、互いに嵌合させることでまくら木の上下方向に対して係合させることができる。また、凸条および凹条をまくら木の上下方向に沿って配することにより、互いに嵌合させることでまくら木の長手方向に対して係合させることができる。
【手続補正７】
【補正対象書類名】明細書
【補正対象項目名】００１４
【補正方法】変更
【補正の内容】
【００１４】
また、例えば、一方の連結部材の嵌合部を凸部で形成すると共に他方の連結部材の嵌合部を凹部で形成し、これら凸部および凹部を嵌合させる構成を採ることにより、互いに嵌合させることでまくら木の長手方向および上下方向に対して係合させることが可能である。
【手続補正８】
【補正対象書類名】明細書
【補正対象項目名】００１５
【補正方法】変更
【補正の内容】
【００１５】
また、前記連結部材は、予めまくら木に一体的に取り付けられる構成とされているのもよい。
【手続補正９】
【補正対象書類名】明細書
【補正対象項目名】００１６
【補正方法】変更
【補正の内容】
【００１６】
これによれば、まくら木に連結部材を取り付ける手間を要することなく、敷設現場において必要な数だけ順次継ぎ足して連結することができ、敷設作業を効率良く行うことが可能となる。また、連結する前のまくら木は、まくら木本体に短尺の連結部材が取り付けられただけであり、軽量で嵩張らず搬送や敷設が容易である。
【手続補正１０】
【補正対象書類名】明細書
【補正対象項目名】００１７
【補正方法】変更
【補正の内容】
【００１７】
また、連結部材をまくら木に取り付ける構造としては、例えば、接着剤や金具などを用いて固定する構成を採ることができる。また、まくら木を貫通させて連結部材を取り付けることも可能である。
【手続補正１１】
【補正対象書類名】明細書
【補正対象項目名】００１８
【補正方法】変更
【補正の内容】
【００１８】
請求項１に記載の発明は、まくら木の長手両側面に軌道方向へ向けて突出する複数の連結部材を設け、隣接するまくら木の連結部材同士を互いに突き合わせて当該突き合わせ部分の一部または全部を覆うように双方の連結部材に渡る一または二以上の接続部材を宛い、宛がった接続部材と双方の連結部材とを一体的に固定して連結するまくら木の連結構造である。
【手続補正１２】
【補正対象書類名】明細書
【補正対象項目名】００２０
【補正方法】変更
【補正の内容】
【００２０】
本発明において、接続部材は、連結部材の突き合わせ部分の一部だけを覆う形状であっても良く、突き合わせ部分の全部を覆う形状であっても良い。
例えば、断面が方形の連結部材であれば、平板状の接続部材によって突き合わせ部分の上面側だけを覆う構成や上下両面を覆う構成、あるいは、突き合わせ部分の上下左右全面を覆う構成を採ることができる。突き合わせ部分の上下左右全面を覆う構成では、接続部材として方形状の管材を採用することも可能である。
【手続補正１３】
【補正対象書類名】明細書
【補正対象項目名】００２１
【補正方法】変更
【補正の内容】
【００２１】
また、本発明において、接続部材の下部にまくら木の下面よりも下方に突出する位置ずれ防止部を設けた構成を採ることもできる。この構成によれば、連結されたまくら木をバラスト道床に敷設すると、接続部材の位置ずれ防止部がバラストに埋設することとなり、まくら木を介して接続部材に印加される荷重に対して抗力を発現する。これにより、まくら木の位置ずれを効果的に抑制することが可能となる。
【手続補正１４】
【補正対象書類名】明細書
【補正対象項目名】００２２
【補正方法】変更
【補正の内容】
【００２２】
また、請求項１に記載のまくら木の連結構造において、前記連結部材は、断面が多角形または円形または楕円形を有する中実材または中空材である構成とされている。
【手続補正１５】
【補正対象書類名】明細書
【補正対象項目名】００２３
【補正方法】変更
【補正の内容】
【００２３】
これによれば、断面が多角形または円形または楕円形を有する中実材で成る連結部材を採用することにより、連結部材の長手方向の曲げ剛性を向上させることが可能である。連結部材として中実材を採用する場合、まくら木と同一の木材や合成木材を用いて製することが可能である。
【手続補正１６】
【補正対象書類名】明細書
【補正対象項目名】００２４
【補正方法】変更
【補正の内容】
【００２４】
また、同様の断面形状を有する中空材で成る連結部材を採用することにより、曲げ剛性を確保しつつ軽量化を図ることが可能である。連結部材として中空材を採用する場合、金属材を用いて製することが可能である。
【手続補正１７】
【補正対象書類名】明細書
【補正対象項目名】００２５
【補正方法】変更
【補正の内容】
【００２５】
また、請求項１に記載のまくら木の連結構造において、前記連結部材は、まくら木を貫通して設けられると共に、まくら木の長手両側面から突出する部位にまくら木との相対移動を阻止する拡大係止部を備えた構成とされているのもよい。
【手続補正１８】
【補正対象書類名】明細書
【補正対象項目名】００２６
【補正方法】変更
【補正の内容】
【００２６】
これによれば、まくら木を貫通する連結部材が拡大係止部を有するので、連結部材に長手方向に向かう荷重が印加されても、拡大係止部がまくら木の長手側面に当接してまくら木に対する相対移動が阻止される。則ち、本発明によれば、まくら木に連結部材を貫通させる構造であるにも拘わらず、連結部材をまくら木に強固に一体化して固定することができる。これにより、連結まくら木全体の剛性を向上させることが可能となる。
【手続補正１９】
【補正対象書類名】明細書
【補正対象項目名】００２７
【補正方法】変更
【補正の内容】
【００２７】
請求項２に記載の発明は、まくら木の長手両側面に複数の係合部材を取り付け、両端に係止部を備えた連結部材を隣接するまくら木同士の間に橋渡して、当該連結部材の係止部をまくら木に設けた係合部材に係合させて連結すると共に、係合を保持する係合保持部材を連結部材と係合部材との間に取り付けるまくら木の連結構造である。
【手続補正２０】
【補正対象書類名】明細書
【補正対象項目名】００３０
【補正方法】変更
【補正の内容】
【００３０】
また、請求項１又は２のいずれか１項に記載のまくら木の連結構造において、前記接続部材または係合保持部材は、まくら木の長手方向または軌道方向の少なくともいずれかの方向に沿って下方に向けて突出する位置ずれ防止部を備えた構成とされているのも好ましい。
【手続補正２１】
【補正対象書類名】明細書
【補正対象項目名】００３１
【補正方法】変更
【補正の内容】
【００３１】
これによれば、連結されたまくら木をバラスト道床に敷設すると、位置ずれ防止部の下部がバラストに埋設する。従って、まくら木に横方向の荷重が印加されると位置ずれ防止部がバラストに当接して抗力を発現し、まくら木の位置ずれを効果的に抑制することが可能となる。
【手続補正２２】
【補正対象書類名】明細書
【補正対象項目名】００３２
【補正方法】変更
【補正の内容】
【００３２】
上記において、位置ずれ防止部は、接続部材または係合保持部材に設けることが可能である。また、位置ずれ防止部は、まくら木の長手方向に沿って設ける構成や、軌道方向に沿って設ける構成を採ることができる。位置ずれ防止部をまくら木の長手方向に沿って設けることにより、軌道方向の荷重による位置ずれが抑制される。また、位置ずれ防止部を軌道方向に沿って設けることにより、まくら木の長手方向の荷重による位置ずれが抑制される。更に、位置ずれ防止部をまくら木の長手方向および軌道方向に沿って設ける構成を採ることにより、まくら木の長手方向および軌道方向の加重による位置ずれを抑制することが可能となる。
【手続補正２３】
【補正対象書類名】明細書
【補正対象項目名】００３３
【補正方法】変更
【補正の内容】
【００３３】
または、まくら木の長手両端部に軌道方向へ延出する連結部材を設けると共に、当該連結部材の長手両端部にまくら木の長手方向または上下方向の少なくともいずれかの方向に対して係合する嵌合部を設け、隣接するまくら木の連結部材同士を互いに突き合わせて双方の嵌合部を嵌合させて連結するまくら木の連結構造であるのも好ましい。
【手続補正２４】
【補正対象書類名】明細書
【補正対象項目名】００３４
【補正方法】変更
【補正の内容】
【００３４】
これによれば、隣接するまくら木の連結部材同士を突き合わせ、双方の嵌合部に接着剤を塗布して嵌合させるだけでまくら木が連結される。また、双方の嵌合部を嵌合すると、まくら木の長手方向または上下方向の少なくともいずれかの方向に対して係合するので、嵌合部に加わる荷重に対する抗力が高い。また、嵌合部を設けることにより、連結部材同士を単に突き合わせて接合する場合に比べて接合面積を増加させることができ、接合強度が著しく増大する。
また、まくら木を必要数だけ順次継ぎ足して連結することができるので、規定数のまくら木を一度に一体化する構成に比べて嵩張らず軽量で敷設が容易である。
【手続補正２５】
【補正対象書類名】明細書
【補正対象項目名】００３５
【補正方法】変更
【補正の内容】
【００３５】
上記において、嵌合部は、まくら木の長手方向に対して係合する構成、または、まくら木の上下方向に対して係合する構成を採ることができる。また、まくら木の長手方向および上下方向の双方の方向に対して係合する構成を採ることもできる。双方の方向に対して係合する構成とすることにより、接合強度を一層向上させることが可能となる。
【手続補正２６】
【補正対象書類名】明細書
【補正対象項目名】００３６
【補正方法】変更
【補正の内容】
【００３６】
請求項３に記載の発明は、まくら木の長手両端部に軌道方向へ延出する連結部材を設け、隣接するまくら木の連結部材同士を互いに突き合わせて、当該突き合わせ部分の一部または全部を覆うように双方の連結部材に渡る接続部材を宛がい、宛がった接続部材と双方の連結部材とを一体的に固定して連結するまくら木の連結構造である。
【手続補正２７】
【補正対象書類名】明細書
【補正対象項目名】００３８
【補正方法】変更
【補正の内容】
【００３８】
そして、請求項３記載のまくら木の連結構造において、前記連結部材は溝形状であり、前記接続部材を連結部材の溝の内部に挿入して固定される構成とされているのも好ましい。
【手続補正２８】
【補正対象書類名】明細書
【補正対象項目名】００３９
【補正方法】変更
【補正の内容】
【００３９】
これは、請求項３に記載の発明の連結部材と接続部材の形状を具体的に示したものである。本発明によれば、請求項９に記載の発明を容易に実施することができ、連結部材同士を接続部材によって一体的に強固に固定することが可能となる。
【手続補正２９】
【補正対象書類名】明細書
【補正対象項目名】０１３４
【補正方法】変更
【補正の内容】
【０１３４】
【図１】（ａ），（ｂ）は、本発明のまくら木の連結構造に採用する連結用まくら木の分解斜視図および斜視図、（ｃ）はそのまくら木の連結構造の参考例を示す斜視図である。
【図２】（ａ），（ｂ）は、図１（ｂ）の連結用まくら木の変形例を示す分解斜視図および斜視図である。
【図３】（ａ），（ｂ）は、図１（ｂ）の連結用まくら木の別の変形例を示す斜視図である。
【図４】（ａ），（ｂ）は、別のまくら木の連結構造に採用する連結用まくら木の分解斜視図および斜視図、（ｃ）はそのまくら木の連結構造の参考例を示す斜視図である。
【図５】（ａ），（ｂ）は、第１実施形態のまくら木の連結構造に採用する連結用まくら木の分解斜視図および斜視図、（ｃ）はそのまくら木の連結構造を示す斜視図、（ｄ）は別のまくら木の連結構造を示す斜視図である。
【図６】（ａ）〜（ｃ）は、図５（ｂ）の連結用まくら木を用いた第１実施形態の別のまくら木の連結構造を示す斜視図である。
【図７】（ａ），（ｂ）は、第１実施形態の更に別のまくら木の連結構造に採用する連結用まくら木の分解斜視図および斜視図、（ｃ）はそのまくら木の連結構造を示す斜視図である。
【図８】（ａ），（ｂ）は、図７（ｂ）の連結用まくら木を用いた第１実施形態の更に別のまくら木の連結構造を示す斜視図である。
【図９】（ａ），（ｂ）は第２実施形態のまくら木の連結構造に採用する連結用まくら木の分解斜視図および斜視図、（ｃ）はそのまくら木の連結構造を示す斜視図である。
【図１０】（ａ），（ｂ）はまくら木の連結構造に採用する連結用まくら木の分解斜視図および斜視図、（ｃ）はそのまくら木の連結構造のさらに別の参考例を示す斜視図である。
【図１１】（ａ），（ｂ）は、まくら木の連結構造に採用する連結用まくら木の斜視図、（ｃ）はそのまくら木の連結構造のさらに別の参考例を示す斜視図である。
【図１２】（ａ），（ｂ）は第３実施形態のまくら木の連結構造に採用する連結用まくら木の分解斜視図および斜視図、（ｃ）はそのまくら木の連結構造を示す斜視図である。